Podtech/llm-jp-corpus-v4-ja_patent huggingface dataset:
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
広告主から広告を受信するステップと、
１つまたは複数の、特徴と値との組合せを受信するステップと、
前記１つまたは複数の特徴と値との組合せを前記広告と関連付けるステップと、
別個の主要コンテンツの表示と共に表示する広告を提供する広告システムで使用するための前記広告および前記１つまたは複数の特徴と値との組合せを保存するステップと、
を含む方法を実行するコンピューター使用可能命令を実施する１つまたは複数のコンピューター記憶メディア。
【請求項２】
前記広告主から、１つまたは複数の、特徴と値との組合せを受信するステップが、
複数のドメイン固有の特徴の組を提供するステップであって、それぞれのドメイン固有の特徴の組が所与のドメインに関連する一組の特徴を備えるステップと、
前記ドメイン固有の特徴の組の１つを、選択されたドメイン固有の特徴の組として選択するステップと、
前記選択されたドメイン固有の特徴の組の中の前記特徴の少なくとも一部に対する値を受信するステップと
を含む、請求項１に記載の１つまたは複数のコンピューター記憶メディア。
【請求項３】
前記ドメイン固有の特徴の組の１つを選択するステップが、広告主による前記ドメイン固有の特徴の組の１つの選択を受信するステップ、および前記広告のドメインを特定することによって前記ドメイン固有の特徴の組の１つを自動的に選択するステップのうち少なくとも１つを含む、請求項２に記載の１つまたは複数のコンピューター記憶メディア。
【請求項４】
前記選択されたドメイン固有の特徴の組の中の前記特徴の少なくとも一部がそれぞれ、選択に利用できる事前定義された値を有する、請求項２に記載の１つまたは複数のコンピューター記憶メディア。
【請求項５】
前記１つまたは複数の、特徴と値との組合せを受信するステップが、前記広告主から前記１つまたは複数の特徴と値との組合せを受信するステップを含む、請求項１に記載の１つまたは複数のコンピューター記憶メディア。
【請求項６】
前記１つまたは複数の特徴と値との組合せを受信するステップが、前記１つまたは複数の特徴と値との組合せを自動的に確定するステップを含む、請求項１に記載の１つまたは複数のコンピューター記憶メディア。
【請求項７】
前記方法が、
複数の広告へのリクエストを受信するステップと、
前記広告と関連する前記１つまたは複数の特徴と値との組合せに少なくとも部分的に基づいて前記複数の広告を選択するステップと
をさらに含む、請求項１に記載の１つまたは複数のコンピューター記憶メディア。
【請求項８】
前記主要コンテンツが、検索結果およびＷｅｂページコンテンツのうち少なくとも１つを備える、請求項１に記載の１つまたは複数のコンピューター記憶メディア。
【請求項９】
別個の主要コンテンツの表示と共に複数の広告を表示するステップであって、前記広告の少なくとも一部がそれぞれ関連する特徴と値との組合せを有するステップと、
前記広告と共に１つまたは複数のユーザーインタフェース要素を表示するステップであって、前記１つまたは複数のユーザーインタフェース要素が、前記広告の前記少なくとも一部と関連する前記特徴と値との組合せに基づいて前記広告を並べ替えることまたはフィルタリングすることを可能にするステップと、
前記ユーザーインタフェース要素の少なくとも１つを介して前記広告を並べ替えるまたはフィルタリングするためのユーザー命令を受信するステップと、
前記別個の主要コンテンツの表示が維持されている間に、前記ユーザー命令に基づいて前記広告の並べ替えまたはフィルタリングを行うステップと、
を含む方法を実行するコンピューター使用可能命令を実施する１つまたは複数のコンピューター記憶メディア。
【請求項１０】
前記方法が、前記主要コンテンツと共にユーザーに対し表示する前記複数の広告を選択するステップをさらに含む、請求項９に記載の１つまたは複数のコンピューター記憶メディア。
【請求項１１】
前記複数の広告が、前記広告の前記少なくとも一部と関連する前記特徴と値との組合せに少なくとも部分的に基づいて選択される、請求項１０に記載の１つまたは複数のコンピューター記憶メディア。
【請求項１２】
前記１つまたは複数のユーザーインタフェース要素が、前記広告の並べ替えまたはフィルタリングにあたっての、前記複数の広告と関連する１つまたは複数の特徴のリストを含む、請求項９に記載の１つまたは複数のコンピューター記憶メディア。
【請求項１３】
１つまたは複数の特徴の前記リストが、前記複数の広告をドメインごとにフィルタリングするにあたってのドメイン特徴を含む、請求項１２に記載の１つまたは複数のコンピューター記憶メディア。
【請求項１４】
前記広告を並べ替えるまたはフィルタリングするためのユーザー命令を受信するステップが、ユーザーが選択したドメインに関する前記広告をフィルタリングするためのユーザー命令を受信するステップを含み、前記広告の並べ替えまたはフィルタリングを行うステップが、前記ユーザーが選択したドメインと対応する広告のサブセットが表示されるように前記広告をフィルタリングするステップを含む、請求項１３に記載の１つまたは複数のコンピューター記憶メディア。
【請求項１５】
前記主要コンテンツが、検索結果およびＷｅｂページコンテンツのうち少なくとも１つを備える、請求項９に記載の１つまたは複数のコンピューター記憶メディア。
【請求項１６】
別個の主要コンテンツの表示と共に表示する広告へのリクエストを受信するステップと、
前記広告の少なくとも一部と関連する特徴と値と前記主要コンテンツとの組合せに少なくとも部分的に基づいて、前記別個の主要コンテンツと共に表示する前記広告を選択するステップと、
前記別個の主要コンテンツと共に表示する前記広告を通信するステップと
を含む方法を実行するコンピューター使用可能命令を備える１つまたは複数のコンピューター記憶メディア。
【請求項１７】
表示する前記広告を選択するステップが、前記特徴と値との組合せに少なくとも部分的に基づいて前記広告をランク付けるステップを含む、請求項１６に記載の１つまたは複数のコンピューター記憶メディア。
【請求項１８】
表示する前記広告を選択するステップが、前記特徴と値との組合せと前記主要コンテンツのコンテキストとを比較することにより、前記広告と前記主要コンテンツとの関連性を判断するステップを含む、請求項１６に記載の１つまたは複数のコンピューター記憶メディア。
【請求項１９】
前記広告と前記主要コンテンツとの関連性に基づいて前記広告がランク付けられる、請求項１８に記載の１つまたは複数のコンピューター記憶メディア。
【請求項２０】
前記方法が、ユーザーのユーザー情報にアクセスするステップをさらに含み、表示する前記広告を選択するステップが、前記特徴と値との組合せと共に前記ユーザー情報に基づいて前記広告を選択するステップを含む、請求項１６に記載の１つまたは複数のコンピューター記憶メディア。
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
燃料電池スタック（１０）を有する燃料電池システムであって、前記燃料電池スタックの燃料電池が端板（１４）又は分配板を介して空気供給管（１６）と接続され、および端板（１４）又は分配板を介して空気排出管（２４）と接続されている燃料電池システムにおいて、作動中または作動終了後に該空気供給管（１６）を通る空気の供給を自動的に開放または遮断するための遮断手段（２６、２８；３２、３４）および該空気排出管（２４）を通る空気の動きを自動的に開放または遮断するための遮断手段（２８、３４）により特徴付けられ、各遮断手段（２６、２８；３２、３４）が、該空気供給管（１６）に接続される該端板（１４）若しくは分配板に若しくはその中に、又は該空気排出管（２４）に接続される該端板（１４）若しくは分配板に若しくはその中に直接配置される燃料電池システム。
【請求項２】
前記遮断手段（２６、２８）および前記燃料電池スタック（１０）が共に１つの絶縁筐体（３０）に収容されていることを特徴とする、請求項１に記載の燃料電池システム。
【請求項３】
端板（１４）又は分配板内に第１のチャネル（４４）が形成され、このチャネルが空気供給管（１６）用接続部（３６）を前記スタック側の吸気口（４０）と接続し、そして同じ端板又は分配板または別の端板又は分配板内に第２のチャネル（４６）が形成され、このチャネルが前記スタック側の排気口（４２）を空気排出管（２４）用接続部（３８）と接続し、そして前記遮断手段（３２、３４）が各チャネル（４４、４６）内に用意されていることを特徴とする、請求項１に記載の燃料電池システム。
【請求項４】
前記遮断手段が、伸縮体（３２、３４）、好ましくはエラストマーを含んでいることを特徴とする、請求項３に記載の燃料電池システム。
【請求項５】
前記伸縮体（３２、３４）の伸長状態がピストン（５０）よって決められるものであり、前記ピストンは前記空気供給管（１６）を通って供給される空気によって力を受け、好ましくはバネ（５２）の力に反して動作することを特徴とする、請求項４に記載の燃料電池システム。
【請求項６】
２つの遮断手段（２６、２８，３２、３４）が同じ端板（１４）若しくは分配板に又はその中に配置されていることを特徴とする、請求項１から５の一つに記載の燃料電池システム。
【請求項７】
請求項１から６の一つに記載の燃料電池システムを搭載した自動車両。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
絶縁層（３１０）の上に、第１のキャリア型の移動度を与える第１の半導体材料の第１の層（３０５）を形成するステップと、
前記第１の層（３０５）の上に、前記第１のキャリア型とは逆の第２のキャリア型の移動度を与えるように選択された第２の半導体材料の第２の層（３１５）を形成するステップと、
前記第２の層（３１５）内の各特徴（３２５）が、逆Ｔ字形状構造のベースを形成する前記第１の層（３０５）の一部と共に前記逆Ｔ字形状構造を形成するように、前記第２の層（３１５）に少なくとも１つの特徴（３１５）を形成するために、前記第２の層をエッチングするステップと、を有するトランジスタの形成方法。
【請求項２】
前記第１の層を形成する前記ステップは、電子移動度を上げるように歪ませた第１の半導体材料の前記第１の層を形成するステップを有し、前記第２の層を形成する前記ステップは、ホール移動度を上げるように歪ませた第２の半導体材料の前記第２の層を形成するステップを有する請求項１に記載の方法。
【請求項３】
前記第１の層を形成する前記ステップは、ホール移動度を上げるように歪ませた第１の半導体材料の前記第１の層を形成するステップを有し、前記第２の層を形成する前記ステップは、電子移動度を上げるように歪ませた第２の半導体材料の前記第２の層を形成するステップを有する請求項１に記載の方法。
【請求項４】
前記第２の層をエッチングする前記ステップは、前記第２の層と前記第１の層との間の面の平面に平行な第１の寸法および第２の寸法を有する特徴を表すパターンを使用して、前記第２の層をエッチングするステップを有し、前記第１の寸法は前記第２の寸法よりも小さく、前記第２の層をエッチングする前記ステップは、前記パターンを介して前記第２の層をエッチングして、前記第１の寸法と、第２の寸法と、前記第１の層と前記第２の層との間の前記面の前記平面に直交する第３の寸法とを有する少なくとも１つの特徴を形成するステップを有し、前記第３の寸法は前記第１の寸法よりも大きい請求項１に記載の方法。
【請求項５】
前記第２の層をエッチングする前記ステップは、前記エッチングプロセスにより前記第１の層がエッチングされないように、エッチング終点の検出技術および所定のエッチング時間の少なくとも１つを使用して停止され、前記方法は、前記第１の層内の各特徴が、前記第２の層に形成される対応する特徴を有する逆Ｔ字形状の前記ベースを形成するように、前記第１の層をエッチングして、前記第２の層に形成された少なくとも１つの特徴に隣接する少なくとも１つの特徴を形成するステップを有する請求項１に記載の方法。
【請求項６】
埋め込み酸化物層（３１０）の上に形成され、第１のキャリア型の移動度を与える第１の半導体材料から形成された第１の層（３０５）と、
前記第１の層（３０５）に隣接して、前記第１の種類とは逆の前記第２のキャリア型の移動度を与えるように選択された第２の半導体材料から形成された第２の層（３１５）と、を有し、前記第２の層（３１５）は、前記第２の層（３１５）内の各特徴（３２５）が、逆Ｔ字形状構造のベースを形成する前記第１の層（３０５）の一部と共に前記逆Ｔ字形状構造を形成するように、前記第２の層（３１５）をエッチングすることによって、前記第２の層（３１５）に形成された少なくとも１つの特徴（３２５）を有するトランジスタ（３００）。
【請求項７】
前記第１の層は、電子移動度を上げるように歪ませた第１の半導体材料から形成され、前記第２の層は、ホール移動度を上げるように歪ませた第２の半導体材料から形成されている請求項６に記載のトランジスタ。
【請求項８】
前記第１の層は、ホール移動度を上げるように歪ませた第１の半導体材料から形成され、前記第２の層は、電子移動度を上げるように歪ませた第２の半導体材料から形成されている請求項６に記載のトランジスタ。
【請求項９】
前記第２の層に形成された前記少なくとも１つの特徴は、前記第２の層と前記第１の層との間の面の平面に平行な第１の寸法および第２の寸法を有する特徴のパターンを有し、前記第１の寸法は前記第２の寸法よりも小さく、前記第２の層に形成された前記少なくとも１つの特徴は、前記第１の層と前記第２の層との間の前記面の前記平面に直交する第３の寸法を有し、前記第３の寸法は前記第１の寸法よりも大きく、前記トランジスタは、前記第１の層内の各特徴が、前記第２の層に形成される対応する特徴と共に逆Ｔ字形状の前記ベースを形成するように、前記第２の層に形成された前記少なくとも１つの特徴と隣接する、前記第１の層に形成された少なくとも１つの特徴を有する請求項６に記載のトランジスタ。
【請求項１０】
前記トランジスタのソース（４１５）、ドレイン（４２０）およびゲート（４１０）を有し、前記ソース（４１５）、前記ドレイン（４２０）および前記ゲート（４１０）は、前記ゲート（４１０）の作動時に、前記第１の層および前記第２の層から形成される前記逆Ｔ字構造が、前記トランジスタの前記ソース（４１５）と前記ドレイン（４２０）の間のチャネル領域として機能するように形成されている請求項６に記載のトランジスタ。
【請求項１１】
前記第１の層を形成するステップは、前記第１のキャリア型に前記第１の移動度を与えるように配向した導電面を有する前記第１の層を形成するステップを有し、前記第２の層を形成するステップは、前記第２のキャリア型に前記第２の移動度を与えるように配向した導電面を有する前記第１の層を形成するステップを有する請求項１に記載の方法。
【請求項１２】
前記第１の層は、前記第１のキャリア型に前記第１の移動度を与えるように配向した導電面を有して形成され、前記第２の層は、前記第２のキャリア型に前記第２の移動度を与えるように配向した導電面を有して形成される請求項６に記載のトランジスタ。
【手続補正書】
【提出日】平成23年4月21日(2011.4.21)
【手続補正１】
【補正対象書類名】明細書
【補正対象項目名】００４２
【補正方法】変更
【補正の内容】
【００４２】
図１は、ＲＦＩＤシステムを有する本発明による配置の第１の実施形態を示す図である。この図では、治療組織５０を処置するための外科手術用器具４０が接続された外科手術装置３０を示している。ここで、器具は、単極ＨＦ外科手術用として設計されたものであり、よって、針電極４２を備える（それに対応する中性電極は図示せず）。外科手術装置３０は、高周波電流を供給するためにＨＦジェネレータ３１を備える。外科手術装置３０内には、書込み及び／又は読取り装置１１が配置されており、書込み及び／又は読取り装置１１には、装置用アンテナ１２が割り当てられている。書込み及び／又は読取り装置１１は制御及び評価装置３２に接続され、制御及び評価装置３２はＨＦジェネレータ３１に接続されている。書込み及び／又は読取り装置１１と制御及び評価装置３２は互いに一体に構成することもできる。
【手続補正２】
【補正対象書類名】明細書
【補正対象項目名】００５９
【補正方法】変更
【補正の内容】
【００５９】
図９は、さらに別の実施形態による装置の略図である。この配置は、図８に示すものと類似しているが、ここでも、トランスポンダー部１３が器具用のケーブル４１内、例えば、コネクタ内に配置されている。第１のスイッチ２０は、コネクタ内にも配置されており、第２と第３のスイッチ２２，２３は、器具４０上に設けられている。ここでは、使用者がスイッチのうちの１つ、例えば、コネクタ上のスイッチ２０を作動させることにより、測定及び／又は作動装置１５を起動させることができる。器具４０上のスイッチ２２，２３の作動（例えば、前記器具を起動させるため）は、例えば、器具４０の測定及び／又は作動装置１５によって取得することができるので、対応する信号をＲＦＩＤシステムを介して外科手術装置（あるいは書込み及び／又は読取り装置）に伝達することができる。
【手続補正３】
【補正対象書類名】明細書
【補正対象項目名】００６１
【補正方法】変更
【補正の内容】
【００６１】
図１１は、コーディング素子２６が、実際の器具４０内に配置されており、例えば、測定及び／又は作動装置１５によってパラメータを取得可能となっており、対応する情報を外科手術装置３０に伝達することができる。
【手続補正４】
【補正対象書類名】図面
【補正対象項目名】図２
【補正方法】変更
【補正の内容】
【図２】
2011505929.tif 000001
【手続補正書】
【提出日】平成23年10月7日(2011.10.7)
【手続補正１】
【補正対象書類名】明細書
【補正対象項目名】００１８
【補正方法】変更
【補正の内容】
【００１８】
図１及び図２に示すように、中性電極は、支持体１５に貼付されるとともに、堅固に接続された２つの、一般的には金属製の電極１１，１２を備える。図２に示す電極の状態は、使用前の状態であり、支持体に接続されていない、もしくは支持体に覆われていない電極１１，１２の活性面部分が、被覆フィルム１６で被覆されている。図２に示すように、被覆フィルム１６は、規定の電気抵抗を有する同一の材料から形成することができる。また、それらの間に抵抗を有する別体の接点（フィルムとして実施可能である）を使用して、前記電極１１及び１２間の前記規定の抵抗を生成することも可能である。
【手続補正２】
【補正対象書類名】明細書
【補正対象項目名】００２１
【補正方法】変更
【補正の内容】
【００２１】
図４は、電気外科手術装置の概略であり、符号２０を付してある。
電気外科手術装置２０は、中性電極１０用の接続端子２１，２２と、電気外科手術装置２０を接続する１つ（以上）の端子２３を備えている。これらの端子２１乃至２３は、高周波（ＨＦ）ジェネレータ２４に接続されている。
【手続補正３】
【補正対象書類名】明細書
【補正対象項目名】００２３
【補正方法】変更
【補正の内容】
【００２３】
１    皮膚領域
２    電気外科手術器具
１０  中性電極
１１，１２  電極
１３，１４  接続線
１５  支持体
１６  被覆フィルム
２０  電気外科手術装置
２１，２２，２３  接続端子
２４  ＨＦジェネレータ
２５  抵抗測定装置
２６  比較器
２７  メモリ
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
食品送達装置であって、
エアロゾル化された食料品を放出するためのエアロゾル送達装置を備え、
エアロゾル送達装置は、
入口から出口までの間に延びている流体流通路を形成するマウスピースと、
マウスピースの出口の面から離間されており、マウスピースの出口の軸に沿ったエアロゾル化された食料品の流れに対向するように配置された偏向部材と、を備え、偏向部材は、マウスピースの出口を出るエアロゾル化された食料品を使用者の口の側面に再配向するように構成されている、食品送達装置。
【請求項２】
エアロゾル化可能な食料品を収容している貯蔵部をさらに備える、請求項１に記載の食品送達装置。
【請求項３】
貯蔵部は交換可能に構成されている、請求項２に記載の食品送達装置。
【請求項４】
貯蔵部はマウスピースと一体である、請求項２に記載の食品送達装置。
【請求項５】
エアロゾル送達装置は、マウスピースに取付けられたエンドキャップを備え、エンドキャップは、エンドキャップを通じて延びている１つ以上の吸気路を形成する、請求項１に記載の食品送達装置。
【請求項６】
エンドキャップおよびマウスピースは共に、食料品を収容しているカプセルを受け入れるように寸法の決定された内部キャビティを形成している、請求項５に記載の食品送達装置。
【請求項７】
食料品を収容している交換可能なカプセルをさらに備える、請求項１に記載の食品送達装置。
【請求項８】
マウスピースはエアロゾル発生装置に連通している、請求項１に記載の食品送達装置。
【請求項９】
エアロゾル発生装置はマウスピースによって形成される気流通路を含む、請求項１に記載の食品送達装置。
【請求項１０】
エアロゾル化される食料品は対照をなす反応性を示す２つ以上の異なる食品を含む、請求項１に記載の食品送達装置。
【請求項１１】
エアロゾル送達装置は、可食部分を含む、請求項１に記載の食品送達装置。
【請求項１２】
１回の活性化当たり約５ミリグラム〜１００ミリグラムの用量を放出するように構成されている活性化装置をさらに備える、請求項１に記載の食品送達装置。
【請求項１３】
手持ち式である請求項１に記載の食品送達装置。
【請求項１４】
卓上型または自立型のユニットである、請求項１に記載の食品送達装置。
【請求項１５】
偏向部材は、マウスピースの出口の軸に対しほぼ垂直である、請求項１に記載の食品送達装置。
【請求項１６】
前記偏向部材の外寸はマウスピースの外寸にほぼ等しい、請求項１５に記載の食品送達装置。
【請求項１７】
マウスピースに対し前記偏向部材を取り付けるブリッジ部をマウスピースの端部の上にさらに含む、請求項１５に記載の食品送達装置。
【請求項１８】
前記貯蔵部は可食部分を含む、請求項２に記載の食品送達装置。
【請求項１９】
食品を送達する方法であって、
食料品をエアロゾル化するエアロゾル化工程と、
エアロゾル化された食料品を流通路に沿ってマウスピースの出口に向けて移動させる移動工程と、
エアロゾル化された食料品の少なくとも一部を使用者の口中に堆積させる堆積工程と、を含む方法。
【請求項２０】
エアロゾル化工程は、吸入によって発生した気流を、吸気路、食料品を収容している隔室、およびマウスピースを通じて流す工程を含む、請求項１９に記載の方法。
【請求項２１】
エアロゾル化工程は、マウスピースで吸入を行う工程を含む、請求項１９に記載の方法。
【請求項２２】
マウスピースで吸入を行うことによって食料品がエアロゾル発生装置に対し曝露される、請求項２１に記載の方法。
【請求項２３】
堆積工程は、マウスピースの出口の軸に沿ったエアロゾル化された食料品の流れに対向する工程を含む、請求項１９に記載の方法。
【手続補正書】
【提出日】平成23年10月19日(2011.10.19)
【手続補正１】
【補正対象書類名】明細書
【補正対象項目名】０１１４
【補正方法】変更
【補正の内容】
【０１１４】
本発明の範囲及び趣旨から逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。本発明の実施態様の一部を以下に列記する。
［１］
歯牙構造に固着するための歯科矯正用物品であって、
ａ）基部を有する歯科矯正装具と、
ｂ）前記基部に隣接する、部分的に硬化した硬化性組成物と、
ｃ）前記部分的に硬化した硬化性組成物に隣接する、固着用接着剤と、
を備え、
前記基部又は前記部分的に硬化した硬化性組成物のうちの少なくとも１つが、前記歯牙構造の少なくとも一部分のネガティブ複製の輪郭を有する、歯科矯正用物品。
［２］
剥離基材を更に備える、［１］に記載の歯科矯正用物品。
［３］
前記歯科矯正用物品を囲む容器を更に備え、前記容器がシールを備える、［１］に記載の歯科矯正用物品。
［４］
前記歯科矯正装具が、歯科矯正ブラケットである、［１］に記載の歯科矯正用物品。
［５］
前記歯科矯正装具を保持する移動装置を更に備える、［１］に記載の歯科矯正用物品。
［６］
前記部分的に硬化した硬化性組成物が、９５％未満硬化している、［１］に記載の歯科矯正用物品。
［７］
前記部分的に硬化した硬化性組成物が、接着剤組成物である、［１］に記載の歯科矯正用物品。
［８］
歯科矯正用物品を歯牙構造に固着する方法であって、
ａ）硬化性組成物を歯科矯正装具の基部に適用する工程と、
ｂ）前記硬化性組成物を部分的に硬化して、部分的に硬化した硬化性組成物を提供する工程と、
ｃ）前記部分的に硬化した硬化性組成物を伴う前記歯科矯正装具を、前記歯牙構造に向かって前進させる工程と、を含む、方法。
［９］
前記基部又は前記部分的に硬化した硬化性組成物のうちの少なくとも１つが、前記歯牙構造の少なくとも一部分のネガティブ複製の輪郭を有する、［８］に記載の方法。
［１０］
前記硬化性組成物を部分的に硬化する前記工程が、化学線を前記硬化性組成物に照射する工程を含む、［８］に記載の方法。
［１１］
前記部分的に硬化した硬化性組成物が、９５％未満硬化する、［８］に記載の方法。
［１２］
前記硬化性組成物が、接着剤組成物である、［８］に記載の方法。
［１３］
前記前進させる工程が、前記装具を移動装置で保持する工程を含む、［８］に記載の方法。
［１４］
前記部分的に硬化した硬化性組成物に、固着用接着剤を適用する工程を更に含む、［８］に記載の方法。
［１５］
前記固着用接着剤を硬化する工程を更に含む、［１４］に記載の方法。
［１６］
歯科矯正固着のための物品を作製するための方法であって、
ａ）硬化性組成物を歯科矯正装具の基部に適用する工程と、
ｂ）前記硬化性組成物を部分的に硬化して、部分的に硬化した硬化性組成物を提供する工程と、
を備え、
前記基部又は前記部分的に硬化した硬化性組成物の表面のうちの少なくとも１つが、歯牙構造の少なくとも一部分のネガティブ複製の輪郭を有する、方法。
［１７］
前記硬化性組成物が、接着剤組成物である、［１６］に記載の方法。
［１８］
前記部分的に硬化した硬化性組成物が、９５％未満硬化する、［１６］に記載の方法。
［１９］
前記硬化性組成物を部分的に硬化する前記工程が、化学線を前記硬化性組成物に照射する工程を含む、［１６］に記載の方法。
［２０］
前記歯科矯正装具が、歯科矯正ブラケットである、［１９］に記載の方法。
［２１］
歯牙構造のポジティブ複製を提供する工程を更に含み、前記部分的に硬化した硬化性組成物が、前記基部と前記複製との間に存在する、［１６］に記載の方法。
［２２］
前記複製及び前記歯科矯正装具のうちの少なくとも１つが、化学線を透過する、［２１］に記載の方法。
［２３］
前記硬化性組成物を部分的に硬化する前記工程が、化学線を前記硬化性組成物に照射する工程を含む、［２２］に記載の方法。
［２４］
前記化学線を前記硬化性組成物に照射する工程が、前記化学線の少なくとも一部分を、前記複製及び前記歯科矯正装具のうちの少なくとも１つを通るように照射する工程を含む、［２２］に記載の方法。
［２５］
前記複製の少なくとも一部分の上にスペーサ層を形成する工程を更に含む、［２１］に記載の方法。
［２６］
前記複製の少なくとも一部分の上に移動装置を形成する工程を更に含み、前記移動装置の少なくとも一部分が前記スペーサ層の上に形成され、前記移動装置が前記装具を保持する、［２５］に記載の方法。
［２７］
前記部分的に硬化した硬化性組成物を前記複製から取り外す工程を更に含む、［２６］に記載の方法。
［２８］
前記取り外す工程が、前記移動装置を前記複製から取り除く工程を含む、［２６］に記載の方法。
【手続補正２】
【補正対象書類名】特許請求の範囲
【補正対象項目名】全文
【補正方法】変更
【補正の内容】
【特許請求の範囲】
【請求項１】
歯牙構造に固着するための歯科矯正用物品であって、
ａ）基部を有する歯科矯正装具と、
ｂ）前記基部に隣接する、部分的に硬化した硬化性組成物と、
ｃ）前記部分的に硬化した硬化性組成物に隣接する、固着用接着剤と、
を備え、
前記基部又は前記部分的に硬化した硬化性組成物のうちの少なくとも１つが、前記歯牙構造の少なくとも一部分のネガティブ複製の輪郭を有する、歯科矯正用物品。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
フレームと、マットレスと、第１のサイドレールと、第２のサイドレールと、ヘッドボードと、フットボードとを有する病院のベッドにおける潜在的な挟み込みゾーンを塞ぐ方法において、当該方法が、
パッドシステムを提供するステップを具え、当該パッドシステムが、
ヘッドエンドパッドを封入するヘッドエンドカバーを具えるヘッドエンドアセンブリと；
フットエンドパッドを封入するフットエンドカバーを具えるフットエンドアセンブリと；
前記ヘッドエンドアセンブリと前記フットエンドアセンブリとの間に延在する第１および第２の壁とを具え、前記壁のそれぞれが複数の可膨張性の部材を具えており、
前記パッドシステムを前記病院のベッドに装填するステップであって、前記ヘッドエンドパッドが前記マットレスと前記ヘッドボードとの間に配置され、前記第１の壁が前記マットレスと前記第１のサイドレールとの間に配置され、前記第２の壁が前記マットレスと前記第２のサイドレールとの間に配置され、前記フットエンドパッドが前記マットレスと前記フットボードとの間に配置されているステップを具えており、
前記パッドシステムは前記ヘッドエンドアセンブリが関節動作できるように構成され、これにより前記ヘッドエンドアセンブリが前記フットエンドアセンブリに対して高くなり、前記第１および第２の壁のそれぞれが第１および第２の可膨張性の部材を有する中間部を具え、前記ヘッドエンドアセンブリを関節動作させると前記第１の可膨張性の部材が前記第２の可膨張性の部材に対して傾き、前記第１および第２の壁はベースシートに連結され、前記ヘッドエンドアセンブリを関節動作させると前記ベースシートから遠位の前記可膨張性の部材の端部が前記ベースシートに近位の前記可膨張性の部材の端部よりも互いに近付くことを特徴とする方法。
【請求項２】
請求項１に記載の方法において、前記パッドシステムが、患者の膝を支持するのに用いる部位の近くの前記マットレスを関節動作できるように構成されていることを特徴とする方法。
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
組織、筋肉又は器官の欠損を修復又は増強するための補綴具であって、
植込み後に迅速に酵素分解可能で、リモデリング可能で、且つ組織を内方成長させるように構成された生物学的組織の第１の部分であって、欠損を被覆又は填塞するような構造及び構成を有する第１の部分と、
植込み後に緩徐に酵素分解可能で、且つ、組織を内方成長させるようには構成されていない生物学的組織の第２の部分であって、前記第２の部分を介して前記補綴具を固定可能とするのに十分な引抜き強度を有する第２の部分と、
を含む、補綴具。
【請求項２】
組織、筋肉又は器官の欠損を修復又は増強するための補綴具であって、
生物学的組織の、架橋されていない、又は最小限だけ架橋された第１の部分であって、欠損を被覆又は填塞するような構造及び構成を有する第１の部分と、
生物学的組織の架橋された第２の部分であって、前記第２の部分を介して前記補綴具を固定可能とするのに十分な引抜き強度を有する生物学的組織の架橋された第２の部分と、
を含む、補綴具。
【請求項３】
組織、筋肉又は器官の欠損を修復又は増強するための補綴具であって、
凍結乾燥された無細胞ブタ真皮の生物学的組織の第１の部分であって、前記第１の部分の少なくとも５０％が植込み後１２週間未満のうちに吸収可能であり、前記第１の部分は組織を内方成長させるように構成される、第１の部分と、
凍結乾燥された無細胞ブタ真皮の生物学的組織の第２の部分であって、前記第２の部分の少なくとも５０％が植込み後５２週間以上経ってから吸収可能となり、前記第２の部分は組織を内方成長させるようには構成されていない、第２の部分と、
を含み、前記第２の部分が、前記補綴具用の到達可能な固定位置を提供するような構成を有する、補綴具。
【請求項４】
組織、筋肉又は器官の欠損を修復又は増強するための補綴具であって、
組織を内方成長させるように構成された生物学的組織の第１の部分であって、あるボール破裂強度を有する第１の部分と、
生物学的組織の第２の部分であって、前記第１の部分のボール破裂強度より大きいボール破裂強度を有する第２の部分と、
を含み、前記第２の部分が前記第１の部分の少なくとも一側面を取り囲む、補綴具。
【請求項５】
前記生物学的組織の第１の部分が、架橋されていないか、又は最小限だけ架橋されている、請求項１，３，４に記載の補綴具。
【請求項６】
前記生物学的組織の第２の部分が架橋されている、請求項１，３，４に記載の補綴具。
【請求項７】
前記生物学的組織の第２の部分が、引抜き強度を高める結果となるよう処理された生物学的組織を含む、請求項１，３，４に記載の補綴具。
【請求項８】
前記生物学的組織の第１の部分の少なくとも５０％が、植込み後１２週間未満のうちに吸収可能である、請求項１，２，４に記載の補綴具。
【請求項９】
前記生物学的組織の第２の部分の少なくとも５０％が、５２週間以上経ってから吸収可能となる、請求項１，２，４に記載の補綴具。
【請求項１０】
前記生物学的組織の第１の部分が、約０．３ｍｍ〜０．５ｍｍの厚さを有する、請求項１−９に記載の補綴具。
【請求項１１】
前記生物学的組織の第２の部分が、約０．７ｍｍ〜１．４ｍｍの厚さを有する、請求項１−１０に記載の補綴具。
【請求項１２】
前記生物学的組織の第１の部分及び前記生物学的組織の第２の部分が、凍結乾燥された無細胞ブタ真皮である、請求項１，２，４に記載の補綴具。
【請求項１３】
前記生物学的組織の第１の部分が第１の表面と第２の表面とを有し、且つ前記第１の表面から前記第２の表面まで延在する穴であって、組織を内方成長させるように構成された穴を含む、請求項１−１２に記載の補綴具。
【請求項１４】
前記生物学的組織の第１の部分が、組織を内方成長させるようテクスチャ加工された表面を含む、請求項１−１３に記載の補綴具。
【請求項１５】
前記生物学的組織の第１の部分及び前記生物学的組織の第２の部分が、パッチの形態である、請求項１−１４に記載の補綴具。
【請求項１６】
前記パッチが、前記生物学的組織の第１の部分のシートの少なくとも一側面を取り囲む前記生物学的組織の第２の部分のシートを含む、請求項１５に記載の補綴具。
【請求項１７】
前記生物学的組織の第１の部分の前記シートが、前記生物学的組織の第２の部分の前記シートに当接して位置決めされる、請求項１６に記載の補綴具。
【請求項１８】
前記生物学的組織の第１の部分の前記シートが、前記生物学的組織の第２の部分の前記シートと両端面を突き合わせるか、又は両縁端を突き合わせるか、そのいずれかで位置決めされる、請求項１７に記載の補綴具。
【請求項１９】
前記生物学的組織の第１の部分の前記シートが、吸収性材料によって前記生物学的組織の第２の部分の前記シートに取り付けられる、請求項１７に記載の補綴具。
【請求項２０】
前記生物学的組織の第２の部分が、前記生物学的組織の第１の部分のボール破裂強度の少なくとも約２倍のボール破裂強度を有する、請求項１−１９に記載の補綴具。
【請求項２１】
前記生物学的組織の第２の部分が、前記生物学的組織の第１の部分のボール破裂強度の少なくとも約３倍のボール破裂強度を有する、請求項２０に記載の補綴具。
【請求項２２】
前記生物学的組織の第２の部分が、前記生物学的組織の第１の部分のボール破裂強度の少なくとも約４倍のボール破裂強度を有する、請求項２０に記載の補綴具。
【請求項２３】
プラグの形態である、請求項１−２２に記載の補綴具。
【請求項２４】
前記生物学的組織の第１の部分がプラグの形態であり、且つ前記生物学的組織の第２の部分がパッチの形態である、請求項１−２２に記載の補綴具。
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
部分的に中空なホルダー部（２）と、
歯ブラシ部（６）と、
髭そり頭部（７）用の取り付け手段（５）と、
ここにおいて前記歯ブラシ部（６）は、前記歯ブラシ部（６）がホルダー部（２）に軸回転可能に取り付けられるように蝶番手段（１３，１４）を備える、第１の終端を有し、
前記歯ブラシ部（６）は、歯ブラシ頭部（２３）を備える第２の終端を有し、
を有する個人用複合衛生物品であって、
前記部分的に中空なホルダー部（２）に、壁（２２）を備え、
前記壁（２２）は第１の部屋（２０）と第２の部屋（２１）との間の物理的隔離を構成し、
前記歯ブラシ頭部（２３）を備える前記歯ブラシ部（６）の前記第２の終端が、前記第１の部屋（２０）に折り込まれ、前記壁（２２）が、同時に既知の充填具（２５）に対する取り付け部分を構成する、
ことを特徴とする物品。
【請求項２】
第１の実質的に長い蓋（３）が前記ホルダー部（２）に軸回転可能に取り付けられているため、前記歯ブラシ部（６）が折り込まれる時、及び前記歯ブラシ部（６）が伸長されている時の両方において、前記第１の蓋（３）が前記ホルダー部（２）の上を閉じるように配置され、ここにおいて前記ホルダー部（２）は、前記第１の蓋（３）の外部スカートに適合する内部スカートを有する、ことを特徴とする請求項１に記載の物品。
【請求項３】
前記髭そり頭部（７）用の前記取り付け手段（５）が第２の蓋（４）の上に配置され、前記第２の蓋（４）は、
前記ホルダー部（２）の延長線上に適合するように配置され、前記ホルダー部（２）の形状に沿うような外形を有し、前記第２の蓋が中空な場所で主として２つの部屋（１６，１７）に分割され、
ここにおいて１つの部屋（１６）が前記髭そり頭部（７）の収容のために配置され、髭そり刃を保持する前記髭そり頭部（７）の各部位が前記１つの部屋（１６）の表面に接触しないように、前記１つの部屋（１６）の形状が前記髭そり頭部（７）の形状に対し適合されている、ことを特徴とする請求項１または２に記載の物品。
【請求項４】
前記第２の部屋（２１）への空気スリット（３５）が前記ホルダー部（２）に配置され、ここにおいて前記空気スリット（３５）は好適には前記壁（２２）に近く設けられる、ことを特徴とする請求項１−３のいずれか１項に記載の物品。
【請求項５】
少なくとも１つの吹き込み孔（２４）、好適には一列の複数の吹き込み孔（２４）が前記第１の蓋（３）の終端に設けられる、ことを特徴とする請求項１−４のいずれか１項に記載の物品。
【請求項６】
前記一列の複数の吹き込み孔（２４）が前記第１の蓋（３）の終端より高い位置にある１つの終端面にあり、複数の排水用溝（３４ａ，３４ｂ）が前記終端面の両側に設けられる、ことを特徴とする請求項１−５のいずれか１項に記載の物品。
【請求項７】
少なくとも２個の吹き込み孔（３６）が、前記第２の蓋（４）に近い前記ホルダー部（２）の終端において、前記ホルダー部（２）のそれぞれの側面に設けられる、ことを特徴とする請求項１−６のいずれか１項に記載の物品。
【請求項８】
前記第１の蓋（３）の両面に第１の摩擦面（３７ａ）が設けられる、ことを特徴とする請求項１−７のいずれか１項に記載の物品。
【請求項９】
複数の第２の摩擦面（３７ｂ）が前記第２の蓋（４）の下方で、前記髭そり頭部（７）用の前記取り付け手段（５）が配置される側と反対側の面に設けられる、ことを特徴とする請求項１−８のいずれか１項に記載の物品。
【請求項１０】
前記第１および第２の摩擦面（３７ａ，３７ｂ）は２部位構成からなり、ゴム状の表面を有する、ことを特徴とする請求項８または９に記載の物品。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
試験システムにより実施される健康データの測定値に関連する情報を表示するためのディスプレイ、およびユーザから情報を受信するための入力装置と、を含み、
前記ディスプレイは、前記ユーザに前記ディスプレイ上でユーザ選択可能オプションを提供するように、および測定を実施するのに必要な時間の長さに対応する時間の間に、前記ユーザに、適切なユーザ選択可能オプションに対応する前記健康データに関連する情報を入力するよう促すように適合され、
前記ユーザ入力装置は、前記試験システムによる測定を実施するために必要な時間の長さに対応する時間の間に、ユーザから情報を対応して受信する、
試験システムのためのユーザインターフェイス。
【請求項２】
前記ユーザ選択可能オプションが、食前および食後の食事マーカである、請求項１記載のユーザインターフェイス。
【請求項３】
前記健康データが、体液試料中の分析対象物に関連する、請求項１記載のユーザインターフェイス。
【請求項４】
前記ユーザ選択可能オプションが、ソフトキー一式と関連して表示される、請求項１記載のユーザインターフェイス。
【請求項５】
前記ユーザによって選択される前記ユーザ選択オプションが、前記健康データの測定値と関連して表示される、請求項１記載のユーザインターフェイス。
【請求項６】
健康データの前記測定値に関連する高度化された情報をユーザに提供する前記ユーザインターフェイスであって、前記ユーザに、指定された時間に決定される複数の健康データ測定値に基づいて平均値を提供する前記ユーザインターフェイスと、
目標範囲内の健康データ測定値の数、前記目標範囲を上回る健康データ測定値の数、および前記目標範囲を下回る健康データ測定値の数に関連する情報を表すための少なくとも１つのインジケータを表示する前記ディスプレイと、
を含む、請求項１記載のユーザインターフェイス。
【請求項７】
前記平均値、ならびに、健康データ測定値の前記目標範囲内の、それを上回る、および下回る健康データ測定値の前記数が、同時に前記ディスプレイ上でユーザに表示される、請求項６記載のユーザインターフェイス。
【請求項８】
前記目標範囲が、食前目標範囲および食後目標範囲を含むことができる、請求項６記載のユーザインターフェイス。
【請求項９】
前記目標範囲内の、前記目標範囲を上回る、または目標範囲を下回る健康データ測定値の前記数が、複数のソフトキーに合致される、請求項６記載のユーザインターフェイス。
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
灌流カテーテル装置と共に使用される灌流アブレーション電極アセンブリであって、
前記電極アセンブリの外面に配置された排出口を有する少なくとも１つの流体用通路と、
永久磁石と、
前記永久磁石を前記少なくとも１つの通路および外部から分離する、実質的に前記永久磁石よりも酸化しにくいシールドと、
外部電極表面を有する電極と、
を備え、
前記電極が前記電極アセンブリの遠位部分に配置されており、
前記永久磁石は、前記遠位部分に配置されており、
前記電極アセンブリの近位部分は、前記近位部分の外面に配置された排出口を有する少なくとも１つの流体用の近位通路を含む、灌流アブレーション電極アセンブリ。
【請求項２】
前記電極が前記シールドの少なくも一部を形成し、前記電極が実質的に前記永久磁石よりも酸化しにくい導電性材料を含む、請求項１に記載の灌流アブレーション電極アセンブリ。
【請求項３】
前記近位部分が非導電性材料を含み、前記近位部分の前記外面と前記遠位部分にある前記電極の前記外部電極表面とが交差部分で交わり、前記少なくとも１つの近位通路が流体流を前記排出口を通って前記交差部分に隣接する領域に向かって導くように構成されている、請求項１又は２に記載の灌流アブレーション電極アセンブリ。
【請求項４】
前記少なくとも１つの近位通路が前記近位部分の長手軸に対して鋭角に前記電極に向かって延在している、請求項１〜３のいずれかに記載の灌流アブレーション電極アセンブリ。
【請求項５】
前記近位部分が非導電性材料を含み、かつ前記電極の材料よりも低い熱伝導率を有する、請求項１〜４のいずれかに記載の灌流アブレーション電極アセンブリ。
【請求項６】
前記電極アセンブリが前記永久磁石に配置された少なくとも１つの温度センサをさらに備える、請求項１〜５のいずれかに記載の灌流アブレーション電極アセンブリ。
【請求項７】
アブレーション可能な遠位の電極である前記電極から近位に離間された少なくとも１つのマッピング電極をさらに備える、請求項１〜６のいずれかに記載の灌流アブレーション電極アセンブリ。
【請求項８】
前記電極に含まれる導電性材料が、白金、金、タンタル、イリジウム、ステンレス鋼、パラジウムおよびそれらの混合物からなる群から選択され、前記導電性材料が、実質的に前記永久磁石よりも酸化しにくい生体適合性材料で製造された基材にめっきされる、請求項１〜７のいずれかに記載の灌流アブレーション電極アセンブリ。
【請求項９】
前記シールドが、シリコーン、ポリイミド、白金、金、タンタル、イリジウム、ステンレス鋼、パラジウムおよびそれらの混合物からなる群から選択される１種または複数の材料を含む、請求項１〜８のいずれかに記載の灌流アブレーション電極アセンブリ。
【請求項１０】
前記永久磁石がＮｄＦｅＢを含む、請求項１〜９のいずれかに記載の灌流アブレーション電極アセンブリ。
【請求項１１】
シャフトと、
前記シャフトの遠位端に連結された、請求項１〜１０のいずれかに記載の灌流アブレーション電極アセンブリと、
を備える、カテーテル。
【請求項１２】
さらに、前記シャフトの前記遠位端近傍に配置され、かつ前記灌流アブレーション電極アセンブリ内の前記永久磁石から離間された第２の永久磁石を備える、請求項１１に記載のカテーテル。
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
フィルムまたはシートを含むカーペット用クッションであって、
前記フィルムまたはシートは、クッションに取り付けられ、またはクッションと接触しており；
前記フィルムまたはシートは、組成物を含み；
前記組成物は、脂肪酸変性アイオノマーおよび場合によりエチレン含有ポリマーを含み、またはそれらから生成され；
前記脂肪酸変性アイオノマーは、酸コポリマーおよび脂肪酸を含み、またはそれらから生成され；
前記酸コポリマーは、エチレン、不飽和カルボン酸、および場合により軟質化モノマーから誘導される繰返し単位を含み；
前記カルボン酸は、（メタ）アクリル酸、マレイン酸、フマル酸、イタコン酸、無水マレイン酸、無水フマル酸、マレイン酸、マレイン酸半エステル、またはそれらの２つ以上の組合せを含み；
前記酸コポリマー、脂肪酸、または両方の酸部分は、金属イオンで部分または完全中和され；かつ、
前記エチレン含有ポリマーは、エチレン、および場合によりビニルアセテート、アルキル（メタ）アクリレート、一酸化炭素、無水マレイン酸、マレイン酸誘導体、またはそれらの２つ以上の組合せから誘導される繰返し単位を含む１つまたは複数のポリマーを含む、クッション。
【請求項２】
クッションを含むカーペットであって、前記クッションは、請求項１に記載する通りであるカーペット。
【請求項３】
カーペット用クッションのためのバリア層としてのフィルムまたはシートの使用であって、前記バリア層は、脂肪酸変性アイオノマーおよび場合によりエチレン含有ポリマーを含み、またはそれらから生成され；組成物は、請求項１に記載する通りである使用。
【手続補正２】
【補正対象書類名】明細書
【補正対象項目名】００６０
【補正方法】変更
【補正の内容】
【００６０】
【表３】
2011505176.tif 000001
次に、本発明の態様を示す。
１.  フィルムまたはシートを含むカーペット用クッションであって、
前記フィルムまたはシートは、クッションに取り付けられ、またはクッションと接触しており；
前記フィルムまたはシートは、組成物を含み；
前記組成物は、脂肪酸変性アイオノマーおよび場合によりエチレン含有ポリマーを含み、またはそれらから生成され；
前記脂肪酸変性アイオノマーは、酸コポリマーおよび脂肪酸を含み、またはそれらから生成され；
前記酸コポリマーは、エチレン、不飽和カルボン酸、および場合により軟質化モノマーから誘導される繰返し単位を含み；
前記カルボン酸は、（メタ）アクリル酸、マレイン酸、フマル酸、イタコン酸、無水マレイン酸、無水フマル酸、マレイン酸、マレイン酸半エステル、またはそれらの２つ以上の組合せを含み；
前記酸コポリマー、脂肪酸、または両方の酸部分は、金属イオンで部分または完全中和され；かつ、
前記エチレン含有ポリマーは、エチレン、および場合によりビニルアセテート、アルキル（メタ）アクリレート、一酸化炭素、無水マレイン酸、マレイン酸誘導体、またはそれらの２つ以上の組合せから誘導される繰返し単位を含む１つまたは複数のポリマーを含む、クッション。
２.  酸コポリマーおよび脂肪酸の酸部分の約１００％が中和されている、上記１記載のクッション。
３.  フィルムまたはシートが、クッションと接触しており；
酸コポリマーは、エチレン／（メタ）アクリル酸コポリマー、エチレン／（メタ）アクリル酸／ｎ−ブチル（メタ）アクリレートコポリマー、エチレン／（メタ）アクリル酸／イソ−ブチル（メタ）アクリレートコポリマー、エチレン／（メタ）アクリル酸／ｔｅｒｔ−ブチル（メタ）アクリレートコポリマー、エチレン／（メタ）アクリル酸／メチル（メタ）アクリレートコポリマー、エチレン／（メタ）アクリル酸／エチル（メタ）アクリレートコポリマー、エチレン／マレイン酸およびエチレン／マレイン酸モノエステルコポリマー、エチレン／マレイン酸モノエステル／ｎ−ブチル（メタ）アクリレートコポリマー、エチレン／マレイン酸モノエステル／メチル（メタ）アクリレートコポリマー、エチレン／マレイン酸モノエステル／エチル（メタ）アクリレートコポリマー、またはそれらの２つ以上の組合せを含み；かつ、
エチレン含有ポリマーは、エチレンビニルアセテートコポリマー、エチレンメチルアクリレートコポリマー、エチレンメタクリレートコポリマー、エチレンエチルアクリレートコポリマー、エチレンブチルアクリレートコポリマー、またはそれらの２つ以上の組合せを含む、上記１または２記載のクッション。
４.  脂肪酸が、１つまたは複数のＣ6〜Ｃ26脂肪酸、好ましくは１つまたは複数のＣ6〜Ｃ18脂肪酸である、上記１〜３のいずれか１項記載のクッション。
５.  酸コポリマーが、エチレンおよび（メタ）アクリル酸から誘導される繰返し単位を含み；
組成物が、エチレン含有ポリマーを含み；かつ、
エチレン含有ポリマーが、エチレンビニルアセテートコポリマーを含む、上記１〜４のいずれか１項記載のクッション。
６.  金属イオンがＭｇイオンである、上記１〜５のいずれか１項記載のクッション。
７.  脂肪酸が、Ｃ6〜Ｃ12脂肪酸の１つまたは複数である、上記６記載のクッション。
８.  組成物をエチレン含有ポリマーと共押出して多層フィルムを生成し、前記エチレン含有ポリマーは上記１、３、または５のいずれか１項に記載する通りである、上記６記載のクッション。
９.  エチレン含有ポリマーが、エチレンメチル（メタ）アクリレートコポリマーを含む、上記８記載のクッション。
１０.  組成物が、エチレン含有ポリマーを含み、または脂肪酸変性アイオノマーとエチレン含有ポリマーとのブレンドである、上記９記載のクッション。
１１.  クッションを含むカーペットであって、前記クッションは、上記１〜１０のいずれか１項に記載する通りであるカーペット。
１２.  カーペット用クッションのためのバリア層としてのフィルムまたはシートの使用であって、前記バリア層は、脂肪酸変性アイオノマーおよび場合によりエチレン含有ポリマーを含み、またはそれらから生成され；組成物は、上記１〜１０のいずれか１項に記載する通りである使用。
【手続補正書】
【提出日】平成23年8月23日(2011.8.23)
【手続補正１】
【補正対象書類名】特許請求の範囲
【補正対象項目名】請求項１３
【補正方法】変更
【補正の内容】
【請求項１３】
検出モジュール（４）が複数の検出器（１７、１８）を含み、各々の検出器は逆多重化された光束（１４）の所定の分光帯域幅を検出するようにされることを特徴とする、請求項１２に記載のデバイス。
【手続補正２】
【補正対象書類名】明細書
【補正対象項目名】００６８
【補正方法】変更
【補正の内容】
【００６８】
図４を参照しながら、本発明によるデバイス１０３の第３の実施態様を説明する。デバイス１０３は、図２を参照して説明されたデバイス１０１との相違点だけに関して説明される。特に、参照符号１〜２０、１０８〜１１０、１１７、及び１１８は重ねて説明しない。デバイス１０３は、特に、ガイドの遠位端部で集められる蛍光信号及び／又は反射信号を検出することを可能にし、そして、これらの信号を定量化し、これらの信号から、蛍光及び反射によってサンプルの画像を構築することを可能にする。
【手続補正書】
【提出日】平成23年11月4日(2011.11.4)
【手続補正１】
【補正対象書類名】明細書
【補正対象項目名】００３２
【補正方法】変更
【補正の内容】
【００３２】
インプラント８は、多くの横孔９、１０、１１、１２を含み、この中に止めねじ３０を挿入することができる。３つの横孔９、１０、１１が同一面にあり、インプラント８がこの中で湾曲している。第４の横孔１２は、インプラント８の近位端にあり、前述の湾曲部の平面に対して直交して延びている。